(57)【要約】【課題】  等価直列抵抗の制御を容易に行うことが可能な積層コンデンサを提供する。【解決手段】    積層体１は、誘電体層１０と第１及び第２の内部電極層２０〜２６、３０〜３６とが交互に積層されることにより構成される。第１の内部電極層２０〜２６は、第１の引き出し電極４０〜４６と第１のコンデンサ電極６０〜６６とを有する。第１のコンデンサ電極６０〜６６に設けられた一対のスリット部１２０〜１２６の間に位置する部分８０〜８６が、第１の引き出し電極４０〜４６と連続する。第２の内部電極層３０〜３６は、第２の引き出し電極５０〜５６と第２のコンデンサ電極７０〜７６とを有する。第２のコンデンサ電極７０〜７６に設けられた一対のスリット部１３０〜１３６の間に位置する部分９０〜９６が、第２の引き出し電極５０〜５６と連続する。【選択図】  図２
2006210719.tif 000002
【特許請求の範囲】
【請求項１】
複数の誘電体層と複数の内部電極層とが交互に積層された積層体と、当該積層体に形成された複数の端子電極と、を備えた積層コンデンサであって、
前記複数の内部電極層は、交互に配置される複数の第１の内部電極層と複数の第２の内部電極層とを含み、
前記複数の端子電極は、互いに電気的に絶縁された第１及び第２の端子電極を含み、
前記複数の第１の内部電極層は、前記第１の端子電極と接続される第１の引き出し電極と、容量成分を形成する第１のコンデンサ電極と、を有し、
前記複数の第２の内部電極層は、前記第２の端子電極と接続される第２の引き出し電極と、容量成分を形成する第２のコンデンサ電極と、を有し、
前記第１のコンデンサ電極には前記第１の引き出し電極に対応する周縁から伸びる一対のスリット部が設けられており、該一対のスリット部の間に位置する部分が前記第１の引き出し電極と連続し、
前記第２のコンデンサ電極には前記第２の引き出し電極に対応する周縁から伸びる一対のスリット部が設けられており、該一対のスリット部の間に位置する部分が前記第２の引き出し電極と連続していることを特徴とする積層コンデンサ。
【請求項２】
複数の誘電体層と複数の内部電極層とが交互に積層された積層体と、当該積層体に形成された複数の端子電極と、を備えた積層コンデンサであって、
前記複数の内部電極層は、交互に配置される複数の第１の内部電極層と複数の第２の内部電極層とを含み、
前記複数の端子電極は、互いに電気的に絶縁された複数の第１の端子電極及び複数の第２の端子電極を含み、
前記第１の内部電極層は、前記複数の第１の端子電極のうちいずれか１つと接続される第１の引き出し電極と、容量成分を形成する第１のコンデンサ電極と、を有し、
前記第２の内部電極層は、前記複数の第２の端子電極のうちいずれか１つと接続される第２の引き出し電極と、容量成分を形成する第２のコンデンサ電極と、を有し、
前記第１のコンデンサ電極には前記第１の引き出し電極に対応する周縁から伸びる一対のスリット部が設けられており、該一対のスリット部の間に位置する部分が前記第１の引き出し電極と連続し、
前記第２のコンデンサ電極には前記第２の引き出し電極に対応する周縁から伸びる一対のスリット部が設けられており、該一対のスリット部の間に位置する部分が前記第２の引き出し電極と連続していることを特徴とする積層コンデンサ。
【請求項３】
複数の誘電体層と複数の内部電極層とが交互に積層された積層体と、当該積層体に形成された複数の端子電極と、を備えた積層コンデンサであって、
前記複数の内部電極層は、交互に配置される複数の第１の内部電極層と複数の第２の内部電極層とを含み、
前記複数の端子電極は、互いに電気的に絶縁された複数の第１の端子電極及び複数の第２の端子電極を含み、
前記第１の内部電極層は、前記複数の第１の端子電極それぞれと接続される複数の第１の引き出し電極と、容量成分を形成する第１のコンデンサ電極と、を有し、
前記第２の内部電極層は、前記複数の第２の端子電極それぞれと接続される複数の第２の引き出し電極と、容量成分を形成する第２のコンデンサ電極と、を有し、
前記第１のコンデンサ電極には前記各第１の引き出し電極に対応する周縁からそれぞれ伸びる複数対のスリット部が設けられており、該各一対のスリット部の間に位置する部分が対応する前記第１の引き出し電極と連続し、
前記第２のコンデンサ電極には前記各第２の引き出し電極に対応する周縁からそれぞれ伸びる複数対のスリット部が設けられており、該各一対のスリット部の間に位置する部分が対応する前記第２の引き出し電極と連続していることを特徴とする積層コンデンサ。
【請求項４】
前記第１及び第２のコンデンサ電極における前記一対のスリット部の間に位置する前記部分のうち少なくともいずれか一方の部分は、蛇行形状又はクランク形状を呈していることを特徴とする請求項１〜請求項３のいずれか一項に記載の積層型コンデンサ。
【請求項５】
前記第１及び第２の引き出し電極のうち少なくともいずれか一方の引き出し電極は、開口部を有していることを特徴とする請求項１〜請求項４のいずれか一項に記載の積層型コンデンサ。
【請求項６】
前記第１及び第２のコンデンサ電極における前記一対のスリット部の間に位置する前記部分のうち少なくともいずれか一方の部分は、開口部を有していることを特徴とする請求項１〜請求項５のいずれか一項に記載の積層型コンデンサ。
【請求項７】
前記第１のコンデンサ電極における前記一対のスリット部の間に位置する前記部分は、前記第１のコンデンサ電極の残部側の幅が前記第１の引き出し電極に接続される側の幅よりも狭く設定されていることを特徴とする請求項１〜請求項６のいずれか一項に記載の積層型コンデンサ。
【請求項８】
前記第２のコンデンサ電極における前記一対のスリット部の間に位置する前記部分は、前記第２のコンデンサ電極の残部側の幅が前記第２の引き出し電極に接続される側の幅よりも狭く設定されていることを特徴とする請求項１〜請求項７のいずれか一項に記載の積層型コンデンサ。
【請求項９】
前記スリット部の長さを調節することにより、等価直列抵抗が所望の値に設定されていることを特徴とする請求項１〜請求項８のいずれか一項に記載の積層型コンデンサ。
【発明の詳細な説明】
【技術分野】
【０００１】
本発明は、積層コンデンサに関するものである。
【背景技術】
【０００２】
この種の積層コンデンサとして、複数の誘電体層と複数の内部電極層とが交互に積層された積層体と、当該積層体に形成された複数の端子電極とを備えたものが知られている（例えば、特許文献１参照）。
【０００３】
デジタル電子機器に搭載されている中央処理装置（ＣＰＵ）に供給用の電源においては低電圧化が進む一方で負荷電流は増大している。従って、負荷電流の急激な変化に対して電源電圧の変動を許容値内に抑えることが非常に困難になったため、デカップリングコンデンサと呼ばれる積層コンデンサが電源に接続されるようになった。そして、負荷電流の過渡的な変動時にこの積層コンデンサからＣＰＵに電流を供給して、電源電圧の変動を抑えるようにしている。
【０００４】
近年、ＣＰＵの動作周波数の更なる高周波数化に伴って、負荷電流は高速でより大きなものとなっており、デカップリングコンデンサに用いられる積層コンデンサには、大容量化と共に等価直列抵抗（ＥＳＲ）を大きくしたいという要求がある。
【特許文献１】特開２００４−１４０２１１号公報
【発明の開示】
【発明が解決しようとする課題】
【０００５】
しかしながら、特許文献１に記載された積層コンデンサでは、等価直列抵抗についての検討がなされていない。さらに、特許文献１に記載の積層コンデンサでは、等価直列インダクタンス（ＥＳＬ）を低減するために、内部電極層に含まれる引き出し電極の付け根部分を幅広にしている。したがって、この積層コンデンサでは等価直列抵抗が過度に低減される懼れがある。
【０００６】
本発明は、等価直列抵抗の制御を容易に行うことが可能な積層コンデンサを提供することを課題とする。
【課題を解決するための手段】
【０００７】
ところで、一般的な積層コンデンサにあっては、内部電極層は引き出し電極を介して対応する端子電極に接続されている。このため、内部電極層の数が増えると引き出し電極の数も増え、等価直列抵抗は小さくなってしまう。積層コンデンサの大容量化を図るために誘電体層及び内部電極層の積層数を多くすると、引き出し電極の数も多くなる。引き出し電極の抵抗成分は端子電極に対して並列接続されることとなるため、引き出し電極の数が多くなるに従い、積層コンデンサの等価直列抵抗がさらに小さくなってしまう。このように、積層コンデンサの大容量化と、等価直列抵抗を大きくするということとは、相反する要求である。
【０００８】
そこで、本発明者等は、大容量化と等価直列抵抗を大きくしたいとの要求を満たし得る積層コンデンサについて鋭意研究を行い、誘電体層及び内部電極層の積層数を同じとしても、引き出し電極の長さを長くすることによって等価直列抵抗を大きくできる点に着目した。しかしながら、引き出し電極の長さを単に長くするのでは、積層体が大型化してしまう。このため、本発明者等は、容量成分を形成する電極部分に引き出し電極としても機能する部分を設けることにより、引き出し電極に相当する部分が実質的に長くなり、等価直列抵抗の過度の低減を抑えることができるという新たな事実を見出すに至った。また、本発明者等は、上述した引き出し電極としても機能する部分の長さによって、等価直列抵抗を所望の値に調節することが可能となるという新たな事実を見出すに至った。
【０００９】
かかる研究結果を踏まえ、本発明に係る積層コンデンサは、複数の誘電体層と複数の内部電極層とが交互に積層された積層体と、当該積層体に形成された複数の端子電極と、を備えた積層コンデンサであって、複数の内部電極層は、交互に配置される複数の第１の内部電極層と複数の第２の内部電極層とを含み、複数の端子電極は、互いに電気的に絶縁された第１及び第２の端子電極を含み、複数の第１の内部電極層は、第１の端子電極と接続される第１の引き出し電極と、容量成分を形成する第１のコンデンサ電極と、を有し、複数の第２の内部電極層は、第２の端子電極と接続される第２の引き出し電極と、容量成分を形成する第２のコンデンサ電極と、を有し、第１のコンデンサ電極には第１の引き出し電極に対応する周縁から伸びる一対のスリット部が設けられており、該一対のスリット部の間に位置する部分が第１の引き出し電極と連続し、第２のコンデンサ電極には第２の引き出し電極に対応する周縁から伸びる一対のスリット部が設けられており、該一対のスリット部の間に位置する部分が第２の引き出し電極と連続していることを特徴とする。
【００１０】
また、上記の研究結果を踏まえ、本発明に係る積層コンデンサは、複数の誘電体層と複数の内部電極層とが交互に積層された積層体と、当該積層体に形成された複数の端子電極と、を備えた積層コンデンサであって、複数の内部電極層は、交互に配置される複数の第１の内部電極層と複数の第２の内部電極層とを含み、複数の端子電極は、互いに電気的に絶縁された複数の第１の端子電極及び複数の第２の端子電極を含み、第１の内部電極層は、複数の第１の端子電極のうちいずれか１つと接続される第１の引き出し電極と、容量成分を形成する第１のコンデンサ電極と、を有し、第２の内部電極層は、複数の第２の端子電極のうちいずれか１つと接続される第２の引き出し電極と、容量成分を形成する第２のコンデンサ電極と、を有し、第１のコンデンサ電極には第１の引き出し電極に対応する周縁から伸びる一対のスリット部が設けられており、該一対のスリット部の間に位置する部分が第１の引き出し電極と連続し、第２のコンデンサ電極には第２の引き出し電極に対応する周縁から伸びる一対のスリット部が設けられており、該一対のスリット部の間に位置する部分が第２の引き出し電極と連続していることを特徴とする。
【００１１】
また、上記の研究結果を踏まえ、本発明に係る積層コンデンサは、複数の誘電体層と複数の内部電極層とが交互に積層された積層体と、当該積層体に形成された複数の端子電極と、を備えた積層コンデンサであって、複数の内部電極層は、交互に配置される複数の第１の内部電極層と複数の第２の内部電極層とを含み、複数の端子電極は、互いに電気的に絶縁された複数の第１の端子電極及び複数の第２の端子電極を含み、第１の内部電極層は、複数の第１の端子電極それぞれと接続される複数の第１の引き出し電極と、容量成分を形成する第１のコンデンサ電極と、を有し、第２の内部電極層は、複数の第２の端子電極それぞれと接続される複数の第２の引き出し電極と、容量成分を形成する第２のコンデンサ電極と、を有し、第１のコンデンサ電極には各第１の引き出し電極に対応する周縁からそれぞれ伸びる複数対のスリット部が設けられており、該各一対のスリット部の間に位置する部分が対応する第１の引き出し電極と連続し、第２のコンデンサ電極には各第２の引き出し電極に対応する周縁からそれぞれ伸びる複数対のスリット部が設けられており、該各一対のスリット部の間に位置する部分が対応する第２の引き出し電極と連続していることを特徴とする。
【００１２】
これら、本発明に係る積層コンデンサそれぞれによれば、第１及び第２のコンデンサ電極における一対のスリット部の間に位置する部分は、容量成分を形成する電極部分として機能すると共に、引き出し電極としても機能するため、第１及び第２の内部電極層において引き出し電極に相当する部分の長さが実質的に長くなる。したがって、これらの積層コンデンサでは容量を確保しつつ、等価直列抵抗を大きくすることが可能となる。また、第１のコンデンサ電極に第１の引き出し電極に対応する周縁から伸びるスリット部を設けること、及び、第２のコンデンサ電極に第２の引き出し電極に対応する周縁から伸びるスリット部を設けることにより、等価直列抵抗が制御されることとなるため、これらの積層コンデンサでは等価直列抵抗の制御を容易に行うことが可能である。
【００１３】
また、第１及び第２のコンデンサ電極における一対のスリット部の間に位置する部分のうち少なくともいずれか一方の部分は、蛇行形状又はクランク形状を呈していることが好ましい。この場合、第１及び第２の内部電極層において引き出し電極に相当する部分の長さがより一層長くなるため、等価直列抵抗の値を更に大きくすることが可能となる。
【００１４】
また、第１及び第２の引き出し電極のうち少なくともいずれか一方の引き出し電極は、開口部を有していることが好ましい。この場合、第１及び第２の引き出し電極のうち少なくともいずれか一方の引き出し電極の面積が小さくなるため、等価直列抵抗を更に大きくすることが可能となる。
【００１５】
また、第１及び第２のコンデンサ電極における一対のスリット部の間に位置する部分のうち少なくともいずれか一方の部分は、開口部を有していることが好ましい。この場合、第１及び第２の内部電極層において引き出し電極に相当する部分の面積が小さくなるため、等価直列抵抗を更に大きくすることが可能となる。
【００１６】
また、第１のコンデンサ電極における一対のスリット部の間に位置する部分は、第１のコンデンサ電極の残部側の幅が第１の引き出し電極に接続される側の幅よりも狭く設定されていることが好ましい。この場合、第１のコンデンサ電極における一対のスリット部の間に位置する部分の電気抵抗が比較的大きくなり、等価直列抵抗の値を更に大きくすることが可能となる。
【００１７】
また、第２のコンデンサ電極における一対のスリット部の間に位置する部分は、第２のコンデンサ電極の残部側の幅が第２の引き出し電極に接続される側の幅よりも狭く設定されていることが好ましい。この場合、第２のコンデンサ電極における一対のスリット部の間に位置する部分の電気抵抗が比較的大きくなり、等価直列抵抗の値を更に大きくすることが可能となる。
【００１８】
また、スリット部の長さを調節することにより、等価直列抵抗が所望の値に設定されていることが好ましい。この場合、一対のスリット部の間に位置する部分の長さが調節されることとなり、所望の等価直列抵抗の値を有する積層コンデンサを容易に得ることが可能となる。
【発明の効果】
【００１９】
本発明によれば、等価直列抵抗の制御を容易に行うことが可能な積層コンデンサを提供することができる。
【発明を実施するための最良の形態】
【００２０】
以下、添付図面を参照して、本発明の好適な実施形態について詳細に説明する。なお、説明において、同一要素又は同一機能を有する要素には、同一符号を用いることとし、重複する説明は省略する。なお、図２〜図１７において、見易さのため内部電極層に相当する領域にはハッチングを施している。また、図３〜図１６ではＸＹＺ座標軸を省略しているが、以下の説明で用いる座標軸は図２に示しているＸＹＺ座標軸と同じである。
【００２１】
（第１実施形態）
図１及び図２を参照して、第１実施形態に係る積層コンデンサＣ１の構成について説明する。図１は、第１実施形態に係る積層コンデンサの斜視図である。図２は、第１実施形態に係る積層コンデンサに含まれる積層体の分解斜視図である。
【００２２】
積層コンデンサＣ１は、図１に示されるように、積層体１と、当該積層体１に形成された第１及び第２の端子電極１１ａ〜１１ｄ、１２ａ〜１２ｄとを備える。
【００２３】
第１及び第２の端子電極１１ａ〜１１ｄ、１２ａ〜１２ｄは、それぞれ４つであり、互いに電気的に絶縁されている。４つの第１の端子電極１１ａ、１１ｂ、１１ｃ、１１ｄのうち１１ａ及び１１ｂは、積層体１の側面１ａに位置し、１１ｃ及び１１ｄは側面１ａに対向する積層体１の側面１ｂに位置する。一方、４つの第２の端子電極１２ａ、１２ｂ、１２ｃ、１２ｄのうち１２ａ及び１２ｂは、積層体１の側面１ａに位置し、１２ｃ及び１２ｄは積層体１の側面１ｂに位置する。積層体１の各側面１ａ、１ｂにおいて第１及び第２の端子電極１１ａ〜１１ｄ、１２ａ〜１２ｄは交互に配置される。すなわち、側面１ａ上においては、第１の端子電極１１ａ、第２の端子電極１２ａ、第１の端子電極１１ｂ、第２の端子電極１２ｂの順で配置され、側面１ｂ上においては、第１の端子電極１１ｃ、第２の端子電極１２ｃ、第１の端子電極１１ｄ、第２の端子電極１２ｄの順で配置される。
【００２４】
積層体１は、図２にも示されるように、複数（本実施形態では、９層）の誘電体層１０と、複数（本実施形態では、各４層）の第１及び第２の内部電極２０、２２、２４、２６、３０、３２、３４、３６とが交互に積層されることにより構成される。実際の積層コンデンサＣ１では、誘電体層１０の間の境界が視認できない程度に一体化されている。
【００２５】
第１の内部電極層２０〜２６は、第１の引き出し電極４０、４２、４４、４６と第１のコンデンサ電極６０、６２、６４、６６とを有する。第１の引き出し電極４０〜４６それぞれは、第１の端子電極１１ａ〜１１ｄのうちいずれか１つと接続され、第１の端子電極１１ａ〜１１ｄが形成されている積層体１の側面１ａ、１ｂに引き出されるように第１のコンデンサ電極６０〜６６から矩形状を呈しながら伸びている。具体的には、第１の内部電極層２０が有する第１の引き出し電極４０は、第１の端子電極１１ａと接続されるように積層体１の側面１ａに引き出される。第１の内部電極層２２が有する第１の引き出し電極４２は、第１の端子電極１１ｂと接続されるように積層体１の側面１ａに引き出される。第１の内部電極層２４が有する第１の引き出し電極４４は、第１の端子電極１１ｃと接続されるように積層体１の側面１ｂに引き出される。第１の内部電極層２６が有する第１の引き出し電極４６は、第１の端子電極１１ｄと接続されるように積層体１の側面１ｂに引き出される。
【００２６】
第２の内部電極層３０〜３６は、第２の引き出し電極５０、５２、５４、５６と第２のコンデンサ電極７０、７２、７４、７６とを有する。第２の引き出し電極５０〜５６それぞれは、第２の端子電極１２ａ〜１２ｄのうちいずれか１つと接続され、第２の端子電極１２ａ〜１２ｄが形成されている積層体１の側面１ａ、１ｂに引き出されるように第２のコンデンサ電極７０〜７６から矩形状を呈しながら伸びている。具体的には、第２の内部電極層３０が有する第２の引き出し電極５０は、第２の端子電極１２ａと接続されるように積層体１の側面１ａに引き出される。第２の内部電極層３２が有する第２の引き出し電極５２は、第２の端子電極１２ｂと接続されるように積層体１の側面１ａに引き出される。第２の内部電極層３４が有する第２の引き出し電極５４は、第２の端子電極１２ｃと接続されるように積層体１の側面１ｂに引き出される。第２の内部電極層３６が有する第２の引き出し電極５６は、第２の端子電極１２ｄと接続されるように積層体１の側面１ｂに引き出される。
【００２７】
第１の引き出し電極４０、４２、第２の引き出し電極５０、５２は、図２におけるＹ方向に関してずれて位置している。すなわち、第１の引き出し電極４０、第２の引き出し電極５０、第１の引き出し電極４２、第２の引き出し電極５２の順に＋Ｙ方向にずれて位置している。第１の引き出し電極４４、４６、第２の引き出し電極５４、５６は、図２におけるＹ方向に関してずれて位置している。すなわち、第１の引き出し電極４４、第２の引き出し電極５４、第１の引き出し電極４６、第２の引き出し電極５６の順に＋Ｙ方向にずれて位置している。ここで、図２〜図１７では説明の便宜のため、積層体における誘電体層と内部電極層の積層方向をＺ軸方向とし、Ｚ軸方向に垂直で、かつ第１及び第２の端子電極が位置する積層体の側面に平行な方向をＹ軸方向とし、Ｚ軸方向及びＹ軸方向に垂直な方向をＸ軸方向とする。
【００２８】
コンデンサの容量成分を形成する第１のコンデンサ電極６０〜６６は、積層体１のＺ軸方向と平行な側面から所定の間隔を有した位置にそれぞれ形成されている。第１のコンデンサ電極６０〜６６は、第１のコンデンサ引き出し電極８０、８２、８４、８６と第１のコンデンサ本体電極１００、１０２、１０４、１０６とを含む。
【００２９】
第１のコンデンサ引き出し電極８０〜８６は、図２に示すように、第１のコンデンサ電極６６〜６６に形成された一対のスリット部１２０、１２２、１２４、１２６によって対応する第１の引き出し電極４０〜４６に連続するように形成される。スリット部１２０〜１２６は、第１の引き出し電極４０〜４６と第１のコンデンサ電極６０〜６６とがつながる箇所でのＹ軸方向の両端において、Ｘ軸方向を長手方向として伸びるように形成された幅の狭い矩形状の切り込みである。第１のコンデンサ引き出し電極８０は、スリット部１２０によって第１の引き出し電極４０に連続するように形成される。第１のコンデンサ引き出し電極８２は、スリット部１２２によって第１の引き出し電極４２に連続するように形成される。第１のコンデンサ引き出し電極８４は、スリット部１２４によって第１の引き出し電極４４に連続するように形成される。第１のコンデンサ引き出し電極８６は、スリット部１２６によって第１の引き出し電極４６に連続するように形成される。また、第１のコンデンサ本体電極１００〜１０６は、図２に示すように、一対のスリット部１２０〜１２６それぞれによって各第１の引き出し電極４０〜４６とは隔てられるよう形成される。本実施形態においては、各第１のコンデンサ引き出し電極８０〜８６は、一対のスリット部１２０〜１２６の間に位置することとなる。対になっている各スリット部１２０〜１２６は、第１のコンデンサ電極６０〜６６の第１の引き出し電極４０〜４６に対応する周縁から伸びて設けられている。第１のコンデンサ本体電極１００〜１０６は、第１のコンデンサ引き出し電極８０〜８６に対して、第１のコンデンサ電極６０〜６６の残部となる。
【００３０】
コンデンサの容量成分を形成する第２のコンデンサ電極７０〜７６は、積層体１のＺ軸方向と平行な側面から所定の間隔を有した位置にそれぞれ形成されている。第２のコンデンサ電極７０〜７６は、第２のコンデンサ引き出し電極９０、９２、９４、９６と第２のコンデンサ本体電極１１０、１１２、１１４、１１６とを含む。
【００３１】
第２のコンデンサ引き出し電極９０〜９６は、図２に示すように、第２のコンデンサ電極７０〜７６に形成された一対のスリット部１３０、１３２、１３４、１３６によって対応する第２の引き出し電極５０〜５６に連続するように形成される。スリット部１３０〜１３６は、第２の引き出し電極５０〜５６と第２のコンデンサ電極７０〜７６とがつながる箇所でのＹ軸方向の両端において、Ｘ軸方向を長手方向として伸びるように形成された幅の狭い矩形状の切り込みである。第２のコンデンサ引き出し電極９０は、スリット部１３０によって第２の引き出し電極５０に連続するように形成される。第２のコンデンサ引き出し電極９２は、スリット部１３２によって第２の引き出し電極５２に連続するように形成される。第２のコンデンサ引き出し電極９４は、スリット部１３４によって第２の引き出し電極５４に連続するように形成される。第２のコンデンサ引き出し電極９６は、スリット部１３６によって第２の引き出し電極５６に連続するように形成される。  また、第２のコンデンサ本体電極１１０〜１１６は、図２に示すように、一対のスリット部１３０〜１３６それぞれによって各第２の引き出し電極５０〜５６とは隔てられるよう形成される。本実施形態においては、各第２のコンデンサ引き出し電極９０〜９６は、一対のスリット部１３０〜１３６の間に位置することとなる。対になっている各スリット部１３０〜１３６は、第２のコンデンサ電極７０〜７６の第２の引き出し電極５０〜５６に対応する周縁から伸びて設けられている。第２のコンデンサ本体電極１１０〜１１６は、第２のコンデンサ引き出し電極９０〜９６に対して、第２のコンデンサ電極７０〜７６の残部となる。
【００３２】
第１のコンデンサ電極６０〜６６と第２のコンデンサ電極７０〜７６は、Ｚ軸方向で見て重なるように位置している。
【００３３】
図２に示すように、第１及び第２のコンデンサ引き出し電極８０〜８６、９０〜９６は、スリット部１２０〜１２６、１３０〜１３６によって第１及び第２の引き出し電極４０〜４６、５０〜５６それぞれと連続するように形成される。したがって、第１及び第２のコンデンサ引き出し電極８０〜８６、９０〜９６は、内部電極層において、対応する端子電極と容量成分を形成するコンデンサ電極とを接続する引き出し電極として機能することができる。したがって、第１及び第２の内部電極層２０〜２６、３０〜３６の引き出し電極として実質的に機能する部分というのはそれぞれ、第１及び第２の引き出し電極４０〜４６、５０〜５６と第１及び第２のコンデンサ引き出し電極８０〜８６、９０〜９６とによって形成される部分ということになる。そのため、第１及び第２の内部電極層２０〜２６、３０〜３６においては、引き出し電極に実質的に相当する部分というのがスリット部１２０〜１２６、１３０〜１３６を入れない場合に比べて長くなり、積層コンデンサＣ１の等価直列抵抗が大きくなる。
【００３４】
また、第１のコンデンサ引き出し電極８０〜８６は、図２に示すように、第２のコンデンサ電極７０〜７６とＺ軸方向において重なり、コンデンサ成分を形成する。第２のコンデンサ引き出し電極９０〜９６は、図２に示すように、第１のコンデンサ電極６０〜６６とＺ軸方向において重なり、コンデンサ成分を形成する。このように、第１及び第２のコンデンサ引き出し電極８０〜８６、９０〜９６は、引き出し電極としての機能だけでなく、コンデンサの容量成分を形成するための機能をも有することができる。そのため、この積層コンデンサＣ１では容量を確保しつつ、等価直列抵抗を大きくすることができる。
【００３５】
また、第１及び第２のコンデンサ引き出し電極８０〜８６、９０〜９６はそれぞれ、各スリット部１２０〜１２６、１３０〜１３６によって形成されたものであり、各スリット部１２０〜１２６、１３０〜１３６のＸ軸方向での長さによってその長さは変わってくる。すなわち、第１及び第２のコンデンサ電極６０〜６６、７０〜７６に形成するスリット部１２０〜１２６、１３０〜１３６の長さによって、実質的に引き出し電極として機能する部分の長さを変えることができ、その結果等価直列抵抗の値を変えることが可能となる。このように、積層コンデンサＣ１では、スリット部１２０〜１２６、１３０〜１３６の長さを変えるだけで積層コンデンサＣ１の等価直接抵抗の値を変えることができるため、等価直列抵抗の制御を容易に行うことが可能である。
【００３６】
さらには、スリット部１２０〜１２６、１３０〜１３６の長さを変えるだけで積層コンデンサＣ１の等価直接抵抗の値を変えることができることから、スリット部１２０〜１２６、１３０〜１３６の長さによって積層コンデンサＣ１の等価直列抵抗の値を所望の値に設定することもできる。このように、所望の等価直列抵抗の値を有する積層コンデンサを得ることも可能である。
【００３７】
（第２実施形態）
図３を参照して、第２実施形態に係る積層コンデンサの構成について説明する。第２実施形態に係る積層コンデンサは、コンデンサ引き出し電極の形状の点で第１実施形態にかかる積層コンデンサと異なる。図３は、第２実施形態に係る積層コンデンサに含まれる積層体１の分解斜視図である。
【００３８】
積層体１では、図３に示されるように、第１及び第２のコンデンサ引き出し電極８０〜８６、９０〜９６が蛇行形状を呈する。さらには、これら第１及び第２のコンデンサ引き出し電極８０〜８６、９０〜９６と連続する第１及び第２の引き出し電極４０〜４６、５０〜５６も蛇行形状を呈する。
【００３９】
以上のように、本実施形態に係る積層コンデンサでは、第１及び第２の内部電極層２０〜２６、３０〜３６において引き出し電極に実質的に相当する部分が長くなる。そのため、第１実施形態に係る積層コンデンサ同様、容量を確保しつつ等価直列抵抗を大きくすることが可能である。
【００４０】
特に、第２実施形態に係る積層コンデンサでは、第１及び第２のコンデンサ引き出し電極８０〜８６、９０〜９６の形状を蛇行形状とすることで、引き出し電極としても機能する第１及び第２のコンデンサ引き出し電極８０〜８６、９０〜９６の長さを長くしている。その結果、第１及び第２の内部電極層２０〜２６、３０〜３６において実質的に引き出し電極に相当する部分が長くなり、等価直列抵抗の値を大きくすることが可能となる。
【００４１】
また、本実施形態に係る積層コンデンサでは、第１実施形態に係る積層コンデンサ同様、スリット部１２０〜１２６、１３０〜１３６それぞれの長さを変えるだけで等価直接抵抗の値を変えることができ、等価直列抵抗の制御を容易に行うことが可能である。さらには、各スリット部１２０〜１２６、１３０〜１３６の長さによって積層コンデンサの等価直列抵抗の値を所望の値に設定することもでき、所望の等価直列抵抗の値を有する積層コンデンサを得ることも可能である。
【００４２】
なお、第１及び第２の引き出し電極４０〜４６、５０〜５６は蛇行形状でなく、例えば矩形状であってもよい。また、第１及び第２のコンデンサ引き出し電極８０〜８６、９０〜９６すべてが蛇行形状でなくてもよく、例えば第１及び第２のコンデンサ引き出し電極８０〜８６、９０〜９６のうちいずれか一方のみが蛇行形状であってもよい。あるいは、例えば第１のコンデンサ引き出し電極８０〜８６のうち一部のコンデンサ引き出し電極のみが蛇行形状であってもよい。
【００４３】
また、第１及び第２のコンデンサ引き出し電極８０〜８６、９０〜９６と第１及び第２の引き出し電極４０〜４６、５０〜５６の形状は、図４に示すように、クランク形状であってもよい。
【００４４】
（第３実施形態）
図５を参照して、第３実施形態に係る積層コンデンサの構成について説明する。第３実施形態に係る積層コンデンサは、コンデンサ引き出し電極あるいは引き出し電極が開口部を有する点で第１実施形態にかかる積層コンデンサと異なる。図５は、第３実施形態に係る積層コンデンサに含まれる積層体１の分解斜視図である。
【００４５】
積層体１では、図５に示されるように、第１及び第２の引き出し電極４０〜４６、５０〜５６と第１及び第２のコンデンサ引き出し電極８０〜８６、９０〜９６とが円形状の開口部１４０、１４２、１４４、１４６、１５０、１５２、１５４、１５６を有している。開口部１４０〜１４６は、第１の引き出し電極４０〜４６と第１のコンデンサ引き出し電極８０〜８６とが連続する部分において、Ｘ軸方向に３つ円形状の開口部が並ぶことにより形成される。開口部１５０〜１５６は、第２の引き出し電極５０〜５６と第２のコンデンサ引き出し電極９０〜９６とが連続する部分において、Ｘ軸方向に３つ円形状の開口部が並ぶことにより形成される。
【００４６】
以上のように、本実施形態に係る積層コンデンサでは、第１及び第２の内部電極層２０〜２６、３０〜３６において引き出し電極に実質的に相当する部分が長くなる。そのため、第１実施形態に係る積層コンデンサ同様、容量を確保しつつ等価直列抵抗を大きくすることが可能である。
【００４７】
特に、第３実施形態に係る積層コンデンサでは、第１及び第２のコンデンサ引き出し電極８０〜８６、９０〜９６と、第１及び第２の引き出し電極４０〜４６、５０〜５６とが開口部１４０〜１４６、１５０〜１５６を有することで、実質的に引き出し電極に相当する部分の面積が小さくなる。その結果、等価直列抵抗の値を大きくすることが可能となる。
【００４８】
また、本実施形態に係る積層コンデンサでは、第１実施形態に係る積層コンデンサ同様、スリット部１２０〜１２６、１３０〜１３６それぞれの長さを変えるだけで等価直接抵抗の値を変えることができ、等価直列抵抗の制御を容易に行うことが可能である。さらには、各スリット部１２０〜１２６、１３０〜１３６の長さによって積層コンデンサの等価直列抵抗の値を所望の値に設定することもでき、所望の等価直列抵抗の値を有する積層コンデンサを得ることも可能である。
【００４９】
なお、第１及び第２の引き出し電極４０〜４６、５０〜５６と第１及び第２のコンデンサ引き出し電極８０〜８６、９０〜９６とのすべての部分において開口部を有していなくてもよく、このうちの一部分のみで開口部を有していてもよい。例えば、第１及び第２の引き出し電極４０〜４６、５０〜５６、及び第１及び第２のコンデンサ引き出し電極８０〜８６、９０〜９６のうちいずれか一方である第１及び第２の引き出し電極４０〜４６、５０〜５６のみが開口部を有していてもよい。あるいは、例えば、第１のコンデンサ引き出し電極８０〜８６のみが開口部を有していてもよい。
【００５０】
また、開口部１４０〜１４６、１５０〜１５６は、図５に示したような円形状に限られない。例えば、図６に示すように、開口部１４０〜１４６、１５０〜１５６は、Ｘ軸方向に長い楕円形状のもの１つであってもよい。あるいは、図７に示すように、開口１４０〜１４６、１５０〜１５６は、矩形形状の開口部が３つＸ軸方向に並んだものであってもよい。あるいは、図８に示すように、開口１４０〜１４６、１５０〜１５６は、Ｘ軸方向に長い矩形形状のもの１つであってもよい。
【００５１】
（第４実施形態）
図９を参照して、第４実施形態に係る積層コンデンサの構成について説明する。第４実施形態に係る積層コンデンサは、コンデンサ引き出し電極の形状の点で第１実施形態にかかる積層コンデンサと異なる。図９は、第４実施形態に係る積層コンデンサに含まれる積層体１の分解斜視図である。
【００５２】
積層体１では、図９に示されるように、複数の誘電体層１０と複数の内部電極層２０〜２６、３０〜３６とが積層する方向と垂直で、かつ、第１及び第２の引き出し電極電極４０〜４６、５０〜５６が引き出される積層体１の側面１ａ、１ｂと平行な方向での幅に関し、引き出し電極とつながる箇所での第１及び第２のコンデンサ引き出し電極８０〜８６、９０〜９６の幅に比べ、第１及び第２のコンデンサ本体電極１００〜１０６、１１０〜１１６とつながる箇所での第１及び第２のコンデンサ引き出し電極８０〜８６、９０〜９６の幅の方が狭い。すなわち、図９に示すように、第１のコンデンサ引き出し電極８０〜８６の第１のコンデンサ本体電極１００〜１０６とつながる箇所でのＹ軸方向での幅が、第１の引き出し電極４０〜４６とつながる箇所でのＹ軸方向での幅に比べて狭い。言換えると、第１のコンデンサ引き出し電極８０〜８６は、第１のコンデンサ本体電極１００〜１０６側の幅が第１の引き出し電極４０〜４６に接続される側の幅よりも狭く設定されることとなる。第２のコンデンサ引き出し電極９０〜９６の第２のコンデンサ本体電極１１０〜１１６とつながる箇所でのＹ軸方向での幅が、第２の引き出し電極５０〜５６とつながる箇所でのＹ軸方向での幅に比べて狭い。言換えると、第２のコンデンサ引き出し電極９０〜９６は、第２のコンデンサ本体電極１１０〜１１６側の幅が第２の引き出し電極５０〜５６に接続される側の幅よりも狭く設定されることとなる。
【００５３】
以上のように、本実施形態に係る積層コンデンサでは、第１及び第２の内部電極層２０〜２６、３０〜３６において引き出し電極に実質的に相当する部分が長くなる。そのため、第１実施形態に係る積層コンデンサ同様、容量を確保しつつ等価直列抵抗を大きくすることが可能である。
【００５４】
特に、第４実施形態に係る積層コンデンサでは、第１及び第２のコンデンサ引き出し電極８０〜８６、９０〜９６がそれぞれ第１及び第２のコンデンサ本体電極１００〜１０６、１１０〜１１６とつながる箇所でのＹ軸方向での幅は、第１及び第２の引き出し電極４０〜４６、５０〜５６とつながる箇所でのＹ軸方向での幅に比べて狭い。
【００５５】
また、本実施形態に係る積層コンデンサでは、第１実施形態に係る積層コンデンサ同様、スリット部１２０〜１２６、１３０〜１３６それぞれの長さを変えるだけで等価直接抵抗の値を変えることができ、等価直列抵抗の制御を容易に行うことが可能である。さらには、各スリット部１２０〜１２６、１３０〜１３６の長さによって積層コンデンサの等価直列抵抗の値を所望の値に設定することもでき、所望の等価直列抵抗の値を有する積層コンデンサを得ることも可能である。
【００５６】
なお、第１及び第２のコンデンサ引き出し電極８０〜８６、９０〜９６のすべてにおいて、このようにＹ軸方向で幅が変化する形状でなくてもよい。例えば、第１及び第２のコンデンサ引き出し電極８０〜８６、９０〜９６のうちいずれか一方のみが上記のようにＹ軸方向で幅が変化する形状であって、他方のコンデンサ引き出し電極はＹ軸方向での幅が一定である形状であってもよい。
【００５７】
（第５実施形態）
図１０を参照して、第５実施形態に係る積層コンデンサの構成について説明する。第５実施形態に係る積層コンデンサは、１つの第１の内部電極層が接続される第１の端子電極の数及び１つの第２の内部電極層が接続される第２の端子電極の数の点で第１実施形態にかかる積層コンデンサと異なる。図１０は、第５実施形態に係る積層コンデンサＣ１に含まれる積層体１の分解斜視図である。
【００５８】
積層体１は、図１０にも示されるように、複数（本実施形態では、９層）の誘電体層１０と、複数（本実施形態では、各４層）の第１及び第２の内部電極１６０、１７０とが交互に積層されることにより構成される。実際の積層コンデンサでは、誘電体層１０の間の境界が視認できない程度に一体化されている。
【００５９】
第１の内部電極層１６０は、第１の引き出し電極１８０、１８２、１８４、１８６と第１のコンデンサ電極２００とを有する。第１の内部電極層１６０が有する第１の引き出し電極１８０〜１８６は４つであり、第１の端子電極１１ａ〜１１ｄの数と同じである。第１の引き出し電極１８０〜１８６は、対応する第１の端子電極１１ａ〜１１ｄそれぞれと接続され、第１の端子電極１１ａ〜１１ｄが形成されている積層体１の側面１ａ、１ｂに引き出されるように第１のコンデンサ電極２００から矩形状を呈しながら伸びている。具体的には、第１の引き出し電極１８０は、第１の端子電極１１ａと接続されるように積層体１の側面１ａに引き出される。第１の引き出し電極１８２は、第１の端子電極１１ｂと接続されるように積層体１の側面１ａに引き出される。第１の引き出し電極１８４は、第１の端子電極１１ｃと接続されるように積層体１の側面１ｂに引き出される。第１の引き出し電極１８６は、第１の端子電極１１ｄと接続されるように積層体１の側面１ｂに引き出される。
【００６０】
第２の内部電極層１７０は、第２の引き出し電極１９０、１９２、１９４、１９６と第２のコンデンサ電極２１０とを有する。第２の内部電極層１７０が有する第２の引き出し電極１９０〜１９６は４つであり、第２の端子電極１２ａ〜１２ｄの数と同じである。第２の引き出し電極１９０〜１９６は、対応する第２の端子電極１２ａ〜１２ｄそれぞれと接続され、第２の端子電極１２ａ〜１２ｄが形成されている積層体１の側面１ａ、１ｂに引き出されるように第２のコンデンサ電極２１０から矩形状を呈しながら伸びている。具体的には、第２の引き出し電極１９０は、第２の端子電極１２ａと接続されるように積層体１の側面１ａに引き出される。第２の引き出し電極１９２は、第２の端子電極１２ｂと接続されるように積層体１の側面１ａに引き出される。第２の引き出し電極１９４は、第２の端子電極１２ｃと接続されるように積層体１の側面１ｂに引き出される。第２の引き出し電極１９６は、第２の端子電極１２ｄと接続されるように積層体１の側面１ｂに引き出される。
【００６１】
第１の引き出し電極１８０、１８２、第２の引き出し電極１９０、１９２は、図１０におけるＹ方向に関してずれて位置している。すなわち、第１の引き出し電極１８０、第２の引き出し電極１９０、第１の引き出し電極１８２、第２の引き出し電極１９２の順に＋Ｙ方向にずれて位置している。第１の引き出し電極１８４、１８６、第２の引き出し電極１９４、１９６は、図１０におけるＹ方向に関してずれて位置している。すなわち、第１の引き出し電極１８４、第２の引き出し電極１９４、第１の引き出し電極１８６、第２の引き出し電極１９６の順に＋Ｙ方向にずれて位置している。
【００６２】
コンデンサの容量成分を形成する第１のコンデンサ電極２００は、積層体１のＺ軸方向と平行な側面から所定の間隔を有した位置にそれぞれ形成されている。第１のコンデンサ電極２００は、第１のコンデンサ引き出し電極２２０、２２２、２２４、２２６、と第１のコンデンサ本体電極２４０とを含む。
【００６３】
第１のコンデンサ引き出し電極２２０〜２２６は、第１の引き出し電極１８０〜１８６の総数と同じ数、すなわち４つである。第１のコンデンサ引き出し電極２２０〜２２６は、図１０に示すように、第１のコンデンサ電極２００に形成された４つのスリット部対２６０、２６２、２６４、２６６によってそれぞれが、対応する第１の引き出し電極１８０〜１８６それぞれに連続するように形成される。４つのスリット部対２６０〜２６６は、第１の引き出し電極１８０〜１８６と第１のコンデンサ電極２００とがつながる箇所でのＹ軸方向の両端において、Ｘ軸方向を長手方向として伸びるように形成された幅の狭い矩形状の切り込みである。第１のコンデンサ引き出し電極２２０は、スリット部２６０によって第１の引き出し電極１８０に連続するように形成される。第１のコンデンサ引き出し電極２２４は、スリット部２６２によって第１の引き出し電極１８２に連続するように形成される。第１のコンデンサ引き出し電極２２４は、スリット部２６４によって第１の引き出し電極１８４に連続するように形成される。第１のコンデンサ引き出し電極２２６は、スリット部２６６によって第１の引き出し電極１８６に連続するように形成される。また、第１のコンデンサ本体電極２４０は、図１０に示すように、４つのスリット部対２６０〜２６６によって第１の引き出し電極１８０〜１８６とは隔てられるよう形成される。
【００６４】
コンデンサの容量成分を形成する第１のコンデンサ電極２００は、積層体１のＺ軸方向と平行な側面から所定の間隔を有した位置にそれぞれ形成されている。第１のコンデンサ電極２００は、第１のコンデンサ引き出し電極２２０〜２２６と第１のコンデンサ本体電極２４０とを含む。
【００６５】
第２のコンデンサ引き出し電極２３０〜２３６は、第２の引き出し電極１９０〜１９６の総数と同じ数、すなわち４つである。第２のコンデンサ引き出し電極２３０〜２３６は、図１０に示すように、第２のコンデンサ電極２１０に形成された４つのスリット部対２７０、２７２、２７４、２７６によってそれぞれが、対応する第２の引き出し電極１９０〜１９６それぞれに連続するように形成される。４つのスリット部対２７０〜２７６は、第２の引き出し電極１９０〜１９６と第２のコンデンサ電極２１０とがつながる箇所でのＹ軸方向の両端において、Ｘ軸方向を長手方向として伸びるように形成された幅の狭い矩形状の切り込みである。第２のコンデンサ引き出し電極２３０は、スリット部２７０によって第２の引き出し電極１９０に連続するように形成される。第２のコンデンサ引き出し電極２３２は、スリット部２７２によって第２の引き出し電極１９２に連続するように形成される。第２のコンデンサ引き出し電極２３４は、スリット部２７４によって第２の引き出し電極２１９４に連続するように形成される。第２のコンデンサ引き出し電極２３６は、スリット部２７６によって第２の引き出し電極１９６に連続するように形成される。また、第２のコンデンサ本体電極２５０は、図１０に示すように、４つのスリット部対２７０〜２７６によって第２の引き出し電極１９０〜１９６とは隔てられるよう形成される。
【００６６】
第１のコンデンサ電極２００と第２のコンデンサ電極２１０は、Ｚ軸方向で見て重なるように位置している。
【００６７】
図１０に示すように、第１及び第２のコンデンサ引き出し電極２２０〜２２６、２３０〜２３６は、スリット部２６０〜２６６、２７０〜２７６によって第１及び第２の引き出し電極１８０〜１８６、１９０〜１９６それぞれと連続するように形成され、引き出し電極として機能することができる。そのため、第１及び第２の内部電極層１６０、１７０において、引き出し電極に実質的に相当する部分が長くなる。これにより、第５実施形態に係る積層コンデンサＣ１では、容量を確保しつつ等価直列抵抗を大きくすることが可能となる。
【００６８】
また、第１及び第２のコンデンサ引き出し電極２２０〜２２６、２３０〜２３６はスリット部２６０〜２６６、２７０〜２７６によって形成されたものであり、スリット部２６０〜２６６、２７０〜２７６のＸ軸方向での長さによってその長さは変わってくる。そのため、第５実施形態に係る積層コンデンサＣ１では、スリット部２６０〜２６６、２７０〜２７６の長さを変えるだけで等価直接抵抗の値を変えることができ、等価直列抵抗の制御を容易に行うことが可能である。
【００６９】
さらには、スリット部２６０〜２６６、２７０〜２７６の長さを変えるだけで第５実施形態に係る積層コンデンサＣ１の等価直接抵抗の値を変えることができることから、スリット部２６０〜２６６、２７０〜２７６の長さによって第５実施形態に係る積層コンデンサＣ１の等価直列抵抗の値を所望の値に設定することもできる。このように、所望の等価直列抵抗の値を有する積層コンデンサを得ることが可能である。
【００７０】
（第６実施形態）
図１１を参照して、第６実施形態に係る積層コンデンサの構成について説明する。第６実施形態に係る積層コンデンサは、コンデンサ引き出し電極の形状の点で第５実施形態にかかる積層コンデンサＣ１と異なる。図１１は、第６実施形態に係る積層コンデンサに含まれる積層体１の分解斜視図である。
【００７１】
積層体１では、図１１に示されるように、第１及び第２のコンデンサ引き出し電極２２０〜２２６、２３０〜２３６が蛇行形状を呈する。さらには、これら第１及び第２のコンデンサ引き出し電極２２０〜２２６、２３０〜２３６と連続する第１及び第２の引き出し電極１８０〜１８６、１９０〜１９６も蛇行形状を呈する。
【００７２】
以上のように、本実施形態に係る積層コンデンサでは、第１及び第２の内部電極層１６０、１７０において引き出し電極に実質的に相当する部分が長くなる。そのため、第５実施形態に係る積層コンデンサ同様、容量を確保しつつ等価直列抵抗を大きくすることが可能である。
【００７３】
特に、第６実施形態に係る積層コンデンサでは、第１及び第２のコンデンサ引き出し電極２２０〜２２６、２３０〜２３６の形状を蛇行形状とすることで、引き出し電極としても機能する第１及び第２のコンデンサ引き出し電極２２０〜２２６、２３０〜２３６の長さを長くしている。その結果、第１及び第２の内部電極層１６０、１７０において実質的に引き出し電極に相当する部分が長くなり、等価直列抵抗の値を大きくすることが可能となる。
【００７４】
また、本実施形態に係る積層コンデンサでは、第５実施形態に係る積層コンデンサ同様、４つのスリット部対２６０〜２６６、２７０〜２７６それぞれの長さを変えるだけで等価直接抵抗の値を変えることができ、等価直列抵抗の制御を容易に行うことが可能である。さらには、４つのスリット部対２６０〜２６６、２７０〜２７６それぞれの長さによって積層コンデンサの等価直列抵抗の値を所望の値に設定することもでき、所望の等価直列抵抗の値を有する積層コンデンサを得ることも可能である。
【００７５】
なお、第１及び第２の引き出し電極１８０〜１８６、１９０〜１９６は蛇行形状でなく、例えば矩形状であってもよい。また、第１及び第２のコンデンサ引き出し電極２２０〜２２６、２３０〜２３６すべてが蛇行形状でなくてもよく、例えば第１及び第２のコンデンサ引き出し電極２２０〜２２６、２３０〜２３６のうちいずれか一方のみが蛇行形状であってもよい。あるいは、例えば第１のコンデンサ引き出し電極２２０〜２２６のうち一部のコンデンサ引き出し電極のみが蛇行形状であってもよい。
【００７６】
また、第１及び第２のコンデンサ引き出し電極２２０〜２２６、２３０〜２３６と第１及び第２の引き出し電極１８０〜１８６、１９０〜１９６の形状は、図１２に示すように、クランク形状であってもよい。
【００７７】
（第７実施形態）
図１３を参照して、第７実施形態に係る積層コンデンサの構成について説明する。第７実施形態に係る積層コンデンサは、コンデンサ引き出し電極あるいは引き出し電極が開口部を有する点で第５実施形態にかかる積層コンデンサＣ１と異なる。図１３は、第７実施形態に係る積層コンデンサに含まれる積層体１の分解斜視図である。
【００７８】
積層体１では、図１３に示されるように、第１及び第２の引き出し電極１８０〜１８６、１９０〜１９６と第１及び第２のコンデンサ引き出し電極２２０〜２２６、２３０〜２３６とがそれぞれ円形状の開口部２８０、２８２、２８４、２８６、２９０、２９２、２９４、２９６を有している。開口部２８０〜２８６は、第１の引き出し電極１８０〜１８６と第１のコンデンサ引き出し電極２２０〜２２６とが連続する部分において、Ｘ軸方向に３つ円形状の開口部が並ぶことにより形成される。開口部２９０〜２９６は、第２の引き出し電極１９０〜１９６と第２のコンデンサ引き出し電極２３０〜２３６とが連続する部分において、Ｘ軸方向に３つ円形状の開口部が並ぶことにより形成される。
【００７９】
以上のように、本実施形態に係る積層コンデンサでは、第１及び第２の内部電極層１６０、１７０において引き出し電極に実質的に相当する部分が長くなる。そのため、第５実施形態に係る積層コンデンサ同様、容量を確保しつつ等価直列抵抗を大きくすることが可能である。
【００８０】
特に、第７実施形態に係る積層コンデンサでは、第１及び第２のコンデンサ引き出し電極２２０〜２２６、２３０〜２３６と、第１及び第２の引き出し電極１８０〜１８６、１９０〜１９６とが開口部を有することで、実質的に引き出し電極に相当する部分の面積が小さくなる。その結果、等価直列抵抗の値を大きくすることが可能となる。
【００８１】
また、本実施形態に係る積層コンデンサでは、第５実施形態に係る積層コンデンサ同様、４つのスリット部対２６０〜２６６、２７０〜２７６それぞれの長さを変えるだけで等価直接抵抗の値を変えることができ、等価直列抵抗の制御を容易に行うことが可能である。さらには、４つのスリット部対２６０〜２６６、２７０〜２７６それぞれの長さによって積層コンデンサの等価直列抵抗の値を所望の値に設定することもでき、所望の等価直列抵抗の値を有する積層コンデンサを得ることも可能である。
【００８２】
なお、第１及び第２の引き出し電極１８０〜１８６、１９０〜１９６と第１及び第２のコンデンサ引き出し電極２２０〜２２６、２３０〜２３６とのすべての部分において開口部を有していなくてもよく、このうちの一部分のみで開口部を有していてもよい。例えば、第１及び第２の引き出し電極１８０〜１８６、１９０〜１９６、及び第１及び第２のコンデンサ引き出し電極２２０〜２２６、２３０〜２３６のうちいずれか一方である第１及び第２の引き出し電極１８０〜１８６、１９０〜１９６のみが開口部を有していてもよい。あるいは、例えば、第１のコンデンサ引き出し電極１８０〜１８６のみが開口部を有していてもよい。
【００８３】
また、開口部２８０〜２８６、２９０〜２９６は、図１３に示したような円形状に限られない。例えば、図１４に示すように、開口部２８０〜２８６、２９０〜２９６は、Ｘ軸方向に長い楕円形状のもの１つであってもよい。あるいは、図１５に示すように、開口部２８０〜２８６、２９０〜２９６は、矩形形状の開口部が３つＸ軸方向に並んだものであってもよい。あるいは、図１６に示すように、開口部２８０〜２８６、２９０〜２９６は、Ｘ軸方向に長い矩形形状のもの１つであってもよい。
【００８４】
（第８実施形態）
図１７を参照して、第８実施形態に係る積層コンデンサの構成について説明する。第８実施形態に係る積層コンデンサは、コンデンサ引き出し電極の形状の点で第５実施形態にかかる積層コンデンサＣ１と異なる。図１７は、第８実施形態に係る積層コンデンサに含まれる積層体１の分解斜視図である。
【００８５】
積層体１では、図１７に示されるように、複数の誘電体層１０と複数の内部電極層１６０、１７０とが積層する方向と垂直で、かつ、第１及び第２の引き出し電極１８０〜１８６、１９０〜１９６が引き出される積層体１の面と平行な方向での幅に関し、引き出し電極とつながる箇所での第１及び第２のコンデンサ引き出し電極２２０〜２２６、２３０〜２３６の幅に比べ、第１及び第２のコンデンサ本体電極２４０、２５０とつながる箇所での第１及び第２のコンデンサ引き出し電極２２０〜２２６、２３０〜２３６の幅の方が狭い。すなわち、図１７に示すように、第１のコンデンサ引き出し電極２２０〜２２６の第１のコンデンサ本体電極２４０とつながる箇所でのＹ軸方向での幅が、第１の引き出し電極２２０〜２２６とつながる箇所でのＹ軸方向での幅に比べて狭い。言換えると、第１のコンデンサ引き出し電極２２０〜２２６は、第１のコンデンサ本体電極２４０側の幅が第１の引き出し電極１８０〜１８６に接続される側の幅よりも狭く設定されることとなる。第２のコンデンサ引き出し電極２３０〜２３６の第２のコンデンサ本体電極２５０とつながる箇所でのＹ軸方向での幅が、第２の引き出し電極１９０〜１９６とつながる箇所でのＹ軸方向での幅に比べて狭い。言換えると、第２のコンデンサ引き出し電極２３０〜２３６は、第２のコンデンサ本体電極２５０側の幅が第２の引き出し電極１９０〜１９６に接続される側の幅よりも狭く設定されることとなる。
【００８６】
以上のように、本実施形態に係る積層コンデンサでは、第１及び第２の内部電極層１６０、１７０において引き出し電極に実質的に相当する部分が長くなる。そのため、第５実施形態に係る積層コンデンサ同様、容量を確保しつつ等価直列抵抗を大きくすることが可能である。
【００８７】
特に、第８実施形態に係る積層コンデンサでは、第１及び第２のコンデンサ引き出し電極２２０〜２２６、２３０〜２３６がそれぞれ第１及び第２のコンデンサ本体電極２４０、２５０とつながる箇所でのＹ軸方向での幅は、第１及び第２の引き出し電極１８０〜１８６、１９０〜１９６とつながる箇所でのＹ軸方向での幅に比べて狭い。
【００８８】
また、本実施形態に係る積層コンデンサでは、第５実施形態に係る積層コンデンサ同様、４つのスリット部対２６０〜２６６、２７０〜２７６それぞれの長さを変えるだけで等価直接抵抗の値を変えることができ、等価直列抵抗の制御を容易に行うことが可能である。さらには、４つのスリット部対２６０〜２６６、２７０〜２７６それぞれの長さによって積層コンデンサの等価直列抵抗の値を所望の値に設定することもでき、所望の等価直列抵抗の値を有する積層コンデンサを得ることも可能である。
【００８９】
なお、第１及び第２のコンデンサ引き出し電極２２０〜２２６、２３０〜２３６のすべてにおいて、このようにＹ軸方向で幅が変化する形状でなくてもよい。例えば、第１及び第２のコンデンサ引き出し電極２２０〜２２６、２３０〜２３６のうちいずれか一方のみが上記のようにＹ軸方向で幅が変化する形状であって、他方のコンデンサ引き出し電極はＹ軸方向での幅が一定である形状であってもよい。
【００９０】
以上、本発明の好適な実施形態について詳細に説明したが、本発明は上記実施形態及び変形例に限定されるものではない。例えば、誘電体層１０の積層数及び第１及び第２の内部電極２０〜２６、３０〜３６、１６０、１７０の積層数は、上述した実施形態に記載された数に限られない。また、第１〜第４の実施形態における第１及び第２の内部電極層の種類の数は４つに限らず、例えば１つでもよい。
【図面の簡単な説明】
【００９１】
【図１】第１実施形態に係る積層コンデンサの斜視図である。
【図２】第１実施形態に係る積層コンデンサに含まれる積層体の分解斜視図である。
【図３】第２実施形態に係る積層コンデンサに含まれる積層体の分解斜視図である。
【図４】第２実施形態に係る積層コンデンサの変形例に含まれる積層体の分解斜視図である。
【図５】第３実施形態に係る積層コンデンサに含まれる積層体の分解斜視図である。
【図６】第３実施形態に係る積層コンデンサの変形例に含まれる積層体の分解斜視図である。
【図７】第３実施形態に係る積層コンデンサの変形例に含まれる積層体の分解斜視図である。
【図８】第３実施形態に係る積層コンデンサの変形例に含まれる積層体の分解斜視図である。
【図９】第４実施形態に係る積層コンデンサに含まれる積層体の分解斜視図である。
【図１０】第５実施形態に係る積層コンデンサに含まれる積層体の分解斜視図である。
【図１１】第６実施形態に係る積層コンデンサに含まれる積層体の分解斜視図である。
【図１２】第６実施形態に係る積層コンデンサの変形例に含まれる積層体の分解斜視図である。
【図１３】第７実施形態に係る積層コンデンサに含まれる積層体の分解斜視図である。
【図１４】第７実施形態に係る積層コンデンサの変形例に含まれる積層体の分解斜視図である。
【図１５】第７実施形態に係る積層コンデンサの変形例に含まれる積層体の分解斜視図である。
【図１６】第７実施形態に係る積層コンデンサの変形例に含まれる積層体の分解斜視図である。
【図１７】第８実施形態に係る積層コンデンサに含まれる積層体の分解斜視図である。
【符号の説明】
【００９２】
１…積層体、１０…誘電体層、１１ａ〜１１ｄ…第１の端子電極、１２ａ〜１２ｄ…第２の端子電極、２０〜２６、１６０…第１の内部電極層、３０〜３６、１７０…第２の内部電極層、４０〜４６、１８０〜１８６…第１の引き出し電極、５０〜５６、１９０〜１９６…第２の引き出し電極、６０〜６６、２００…第１のコンデンサ電極、７０〜７６、２１０…第２のコンデンサ電極、８０〜８６、２２０〜２２６…第１のコンデンサ引き出し電極、９０〜９６、２３０〜２３６…第２のコンデンサ引き出し電極、１００〜１０６、２４０…第１のコンデンサ本体電極、１１０〜１１６、２５０…第２のコンデンサ本体電極、１２０〜１２６、１３０〜１３６、２６０〜２６６、２７０〜２７６…スリット部、１４０〜１４６、１５０〜１５６、２６０〜２６６、２７０〜２７６…開口部。
【図１】
2006210719.tif 000003
【図２】
2006210719.tif 000004
【図３】
2006210719.tif 000005
【図４】
2006210719.tif 000006
【図５】
2006210719.tif 000007
【図６】
2006210719.tif 000008
【図７】
2006210719.tif 000009
【図８】
2006210719.tif 000010
【図９】
2006210719.tif 000011
【図１０】
2006210719.tif 000012
【図１１】
2006210719.tif 000013
【図１２】
2006210719.tif 000014
【図１３】
2006210719.tif 000015
【図１４】
2006210719.tif 000016
【図１５】
2006210719.tif 000017
【図１６】
2006210719.tif 000018
【図１７】
2006210719.tif 000019